(57)【特許請求の範囲】
【請求項１】
迅速に抽出できる球状容器であって、それは、殻体（housingbody）１を含み、前記殻体（housing body）１の内部は、食品原料を保管するための密封の腔体（cavity）２を形成し、前記殻体（housing body）１は、貫きやすい硬質の材料から構成され、
前記殻体（housing body）１の腔体（cavity）２の内部には、フィルター３を設け、前記フィルター３は、前記腔体（cavity）２を相互に独立した上腔体（upper cavity）と下腔体（lower cavity）とに分けられ、
前記殻体（housing body）１は、上殻体（upper housing body）１１と下殻体（lower housing body）１２を含み、前記上殻体（upper housing body）１１と前記下殻体（lower housingbody）１２は、フィルター３との間でそれぞれ取り外し及び接続することができ、
上殻体（upper housing body）１１と下殻体（lower housing body）１２を接続する環状の接続部材（connectingpiece）４を含み、前記接続部材（connecting piece）４、前記上殻体（upper housing body）１１と前記下殻体（lower housingbody）１２は、前記密封の腔体（cavity）２を形成しており、前記フィルター３は、前記接続部材（connecting piece）４の内腔に接続固定し、前記接続部材（connectingpiece）４の上表面は、内側に向き凹んで、閉鎖がある環状の上係合溝（upper engaginggroove）４１を形成し、前記接続部材（connecting piece）４の下表面は、内側に向き凹んで、閉鎖がある環状の下係合溝（lower engaging groove）４２を形成しており、前記上殻体（upperhousing body）１１の開口位置は、前記上係合溝（upper engaging groove）４１と密接している上係合部（upper engaging part）１１１を形成し、前記下殻体（lowerhousing body）１２の開口位置は、前記下係合溝（lower engaging groove）４２と密接している下係合部（lower engaging part）１２１を形成することを特徴とする迅速に抽出できる球状容器。
【請求項２】
前記上殻体（upper housing body）は、球体の一部分となり、前記下殻体（lower housing body）は、球体の一部分となることを特徴とする請求項１に記載の迅速に抽出できる球状容器。
【請求項３】
前記上係合部（upper engaging part）１１１の外壁は、内側に向き凹んで、複数の上溝（multiple upper grooves）１１１１を形成し、前記下係合部（lowerengaging part）１２１の外壁は、内側に向き凹んで、複数の下溝（multiple lowergrooves）１２１１を形成し、前記接続部材（connecting piece）４は、各々の上溝（upper grooves）１１１１の位置に対応して、それぞれ前記接続部材（connectingpiece）４と密接している上フック（upper hook）４３を形成し、前記接続部材（connecting piece）４は、各々の下溝（lower grooves）１２１１の位置に対応し、それぞれ前記接続部材（connecting piece）と密接している下フック（lower hook）４４を形成することを特徴とする請求項１又は２に記載の迅速に抽出できる球状容器。
【請求項４】
前記接続部材（connecting piece）４の内壁は、それぞれ、上下の二つの方向へ延伸し、それぞれ前記上殻体（upper housing body）１１及び前記下殻体（lower housingbody）１２の内壁と密接しているバッファー・プレート（buffer plates）５を形成することを特徴とする請求項１〜３のいづれか一に記載の迅速に抽出できる球状容器。
【請求項５】
前記殻体（housing body）１は、プラスチック、アルミニウム又は木材で作られることを特徴とする請求項１〜４のいづれか一に記載の迅速に抽出できる球状容器。
【請求項６】
前記殻体（housing body）１は、フィルター３の平面の対称軸が、対称の構造を呈することを特徴とする請求項１〜５のいづれか一に記載の迅速に抽出できる球状容器。
【請求項７】
前記上殻体（upper housing body）１１の外部のアウトラインは、球体の一部分となって、前記下殻体（lower housing body）１２の外部のアウトラインは球体の一部分となることを特徴とする請求項１〜６のいづれか一に記載の迅速に抽出できる球状容器。
【発明の詳細な説明】
【技術分野】
【０００１】
本発明は、球体の容器に関して、特に便利な貯蔵容器球および抽出に関するものであり、しかも抽出する効果が更に良く、迅速に抽出できる球状容器に関する。
【背景技術】
【０００２】
いくつの世紀の変遷を経て、コーヒーは、益々多くの人が嗜好する飲み物となった。その中で、圧力式で作られたコーヒーは、最も代表的なコーヒーであって、現在、オリジナルなコーヒーを体験できる種類である。従来技術で、圧力式で作られたコーヒーは、特定の器具及び特定の方法を必要とし、作るプロセスは、とても重要で、複雑である。作られたコーヒーの好みは、作るプロセスの技術レベルと大きい関係がある。特に、コーヒーを抽出する時の圧力、時間及び温度とも大きい関係がある。そのため、人々は長時間と高い金銭を使ってようやく口当りが圧力式ならではのコーヒーを飲むことができる。結果、圧力式で調製したコーヒーの普及が得られないこととなる。また、他の場合は、コーヒーを作るのと同じのように、高温高圧で、食品原料、例えば、茶の葉とか豆粉などのものを抽出することがあり、人々は、不適切な操作をして、食品原料を抽出する効果が、悪くなり、それによって、作られた飲み物は、味がもうひとつとなる。
【発明の開示】
【発明が解決しようとする課題】
【０００３】
以上の欠点に対して、本発明は、結構が簡単で、貯蔵と抽出が容易で、しかも、抽出する効果が更に良く迅速に抽出できる球状容器を提供する。
【課題を解決するための手段】
【０００４】
それは、殻体（housing body）を含み、前記殻体（housing body）の内部は、食品原料を保管するための密封の腔体（cavity）を形成し、前記殻体（housing body）は、貫きやすい硬質の材料から製造する。
【０００５】
前記殻体（housing body）の内部は、フィルターを設け、前記フィルターは、前記腔体（cavity）を相互に独立した上腔体（upper cavity）と下腔体（lower cavity）とに分ける。
【０００６】
前記上腔体（upper cavity）は、球体の一部となって、前記下腔体（lower cavity）も球体の一部となる。
【０００７】
前記殻体（housing body）は、上殻体（upper housing body）と下殻体（lower housing body）を含み、前記上殻体（upper housing body）と前記下殻体（lower housing body）は、フィルターとの間でそれぞれ取り外し及び接続することができる。
【０００８】
本発明は、上殻体（upper housing body）と下殻体（lower housing body）を接続する環状の接続部材（connectingpiece）を含み、前記接続部材（connecting piece）、前記上殻体（upper housing body）と前記下殻体（lower housing body）は、前記密封の腔体（cavity）を形成しており、前記フィルターは、前記接続部材（connectingpiece）の内腔に接続固定し、前記接続部材（connecting piece）の上表面は、内側に向き凹んで、閉鎖がある環状の上係合溝（upper engaging groove）を形成し、前記接続部材（connectingpiece）の下表面は、内側に向き凹んで、閉鎖がある環状の下係合溝（lower engaging groove）を形成しており、前記上殻体（upper housing body）の開口位置は、前記上係合溝（upper engaginggroove）と密接している上係合部（upper engaging part）を形成し、前記下殻体（lower housing body）の開口位置は、前記下係合溝（lowerengaging groove）と密接している下係合部（lower engaging part）を形成する。
【０００９】
前記上係合部（upper engaging part）の外壁は、内側に向き凹んで、複数の上溝（multiple upper grooves）を形成し、前記下係合部（lowerengaging part）の外壁は、内側に向き凹んで、複数の下溝（multiple lowergrooves）を形成し、前記接続部材（connecting piece）は、各々の上溝（upper grooves）の位置に対応して、それぞれ前記接続部材（connectingpiece）と密接している上フック（upper hook）を形成し、前記接続部材（connecting piece）は、各々の下溝（lower grooves）の位置に対応して、それぞれ前記接続部材（connecting piece）と密接している下フック（lower hook）を形成する。
【００１０】
前記接続部材（connecting piece）の内壁は、それぞれ、上下の二つの方向へ延伸して、それぞれ前記上殻体（upper housing body）及び前記下殻体（lower housingbody）の内壁と密接しているバッファー・プレート（buffer plates）を形成する。
【００１１】
前記殻体（housing body）は、プラスチック、アルミニウムや木材で作られる。
【００１２】
前記殻体（housing body）は、フィルターの平面の対称軸が、対称の構造を呈する。
【００１３】
前記上殻体（upper housing body）の外部のアウトラインは、球体の一部分となって、前記下殻体（lower housing body）の外部のアウトラインは球体の一部分となる。
【発明の効果】
【００１４】
本発明の有益な効果は、まず、本発明の迅速に抽出できる球状容器は、殻体（housing body）とフィルターを含み、前記フィルターは、前記殻体（housingbody）を相互に独立した上腔体（upper cavity）と下腔体（lower cavity）とに分けて、前記上腔体（upper cavity）は、水に溶けない食品原料を保管し、前記下腔体（lower cavity）は、水に溶けうる食品原料を保管し、前記フィルターを通じて、水に溶けない食品原料と水に溶けうる食品原料を分け、しかも、外部の空気を分離させて、その貯蔵の時間を延長することができる。作る時、コーヒーメーカーの入水針管を殻体（housing body）の頂端に貫通させ、コーヒーメーカーの進水針管を殻体（housingbody）の底端に貫通させており、殻体（housing body）の上腔体（upper cavity）の内部は水に溶けない食品原料を保管しているため、作っている時、下腔体（lower cavity）に保管された水に溶けうる食品原料は、次第に減少するが、上腔体（uppercavity）の空間は、基本的に変わらないので、その内部の圧力の変化も大きくない。上腔体（uppercavity）の内部に保管された水に溶けない食品原料は、高温高圧の条件下で、抽出効果が、更に良く、製品の口当りがもっと良い。また、本発明は、取り外し可能な構造を採用し、殻体（housing body）は、接続部材（connecting piece）を通って接続する上殻体（upper housing body）と下殻体（lower housing body）を備え、前記接続部材（connecting piece）は、環状となり、フィルターは、前記接続部材（connectingpiece）の内腔体に固定連続し、それによって、容易に食品原料を殻体（housing body）に保管させることができる。さらに、上殻体（upper housing body）と下殻体（lower housing body）は、それぞれ複数の上溝（upper grooves）と下溝（lower grooves）を形成し、前記接続部材（connecting piece）が、前記上溝（upper grooves）と前記下溝（lower grooves）に対応する位置は、それぞれ前記上溝（uppergrooves）と前記下溝（lower grooves）と密接している上フック（upper hook）と下フック（lower hook）を形成する。それによって、殻体（housing body）にある圧力が大きすぎることによる、上殻体（upperhousing body）と下殻体（lower housing body）をそれぞれ接続部材（connecting piece）から離脱されることを回避でき、同時で、接続位置の密封性を保証することができる。前記接続部材（connecting piece）の内壁は、それぞれ、上下の二つの方向へ延伸し、それぞれ前記上殻体（upper housing body）及び前記下殻体（lower housingbody）の内壁と密接しているバッファー・プレート（buffer plates）を形成する。バッファー・プレート（buffer plates）を通って、効果的に、高い圧力によって接口に対し起きた衝撃圧力を低減することができ、更に、殻体（housing body）にある圧力が大きすぎることによる、上殻体（upperhousing body）と下殻体（lower housing body）をそれぞれ接続部材（connecting piece）からの離脱を回避できる。最後に、フィルターは、球体の中心に置くことで、その平面の面積が、最大となり、そのフィルターの面積は、類似製品とより大きく、濾過速度を加速することができ、類似製品とより早い時間で１杯の飲み物を完成し、しかも、半円形のデザインは、抽出している時、死角をなくし、類似製品よりも優れて、すべでの対象物を抽出することができる。
【図面の簡単な説明】
【００１５】
【図１】本発明の迅速に抽出できる球状容器の断面図である。
【図２】本発明の殻体（housing body）と接続部材（connectingpiece）を組み立てる工程を示す図である。
【発明を実施するための形態】
【００１６】
以下、添付の図面を参照して、本願の発明を説明する。特に、図１について説明する。
図１と図２に示すように、本発明の迅速に抽出できる球状容器は、殻体（housing body）１とフィルター３を含み、前記殻体（housing body）１の内部は、食品原料を保管するための密封の腔体（cavity）２を形成し、しかも前記殻体（housing body）１は、貫きやすい硬質の材料から製造する。その材料は、一般的に、プラスチック、アルミニウムまたは木材となる。前記フィルター３は、前記殻体（housing body）１の腔体（cavity）２に設けられ、前記腔体（cavity）２を相互に独立した上腔体（upper cavity）と下腔体（lower cavity）と分ける。それによって、食品を包装する時、コーヒー粉末、茶の葉のような水に溶けない食品原料等を上腔体（upper cavity）に保管し、砂糖、ミルクパウダー、食品の香料やその他の水に溶けうる食品原料を下腔体（lower cavity）に保管し、フィルター３を通って、水に溶けない食品原料と水に溶けうる食品原料を分離させ、しかも、前記腔体（cavity）２を外部の空気と分離させて、その貯蔵の時間を延長することができる。作る時、コーヒーメーカーの入水針管を殻体（housing body）１の頂端に貫通させて、コーヒーメーカーの進水針管を殻体（housingbody）１の底端に貫通させており、殻体（housing body）１の上腔体（upper cavity）の内部は、水に溶けない食品原料を保管しているため、作っている時、下腔体（lower cavity）に保管された水に溶けうる食品原料は、次第に減少するが、上腔体（uppercavity）の空間は、基本的に変わらないので、その内部の圧力の変化も大きくない。上腔体（uppercavity）の内部で保管された水に溶けない食品原料は、高温高圧の条件下での、抽出効果が、更に良く、製品の口当りがもっと良い。
【００１７】
更に、本発明は、環状の接続部材（connectingpiece）４を含み、前記殻体（housing body）１は、上殻体（upper housing body）１１と下殻体（lower housing body）１２を含み、前記上殻体（upper housing body）１１と前記下殻体（lower housingbody）１２は、フィルター３との間でそれぞれ取り外し及び接続することができる。前記接続部材（connectingpiece）４、前記上殻体（upper housing body）１１と前記下殻体（lower housing body）１２は、前記密封の腔体（cavity）２を形成しており、前記フィルター３は、前記接続部材（connecting piece）４の内腔に接続固定し、前記接続部材（connectingpiece）４の上表面は、内側に向き凹んで、閉鎖がある環状の上係合溝（upper engaginggroove）４１を形成し、前記接続部材（connecting piece）４の下表面は、内側に向き凹んで、閉鎖がある環状の下係合溝（lower engaging groove）４２を形成しており、前記上殻体（upperhousing body）１１の開口位置は、前記上係合溝（upper engaging groove）４１と密接している上係合部（upper engaging part）１１１を形成し、前記下殻体（lowerhousing body）１２の開口位置は、前記下係合溝（lower engaging groove）４２と密接している下係合部（lower engaging part）１２１を形成する。従って、便利で容易に食品原料を殻体（housing body）に保管させうる。
【００１８】
また、前記上係合部（upper engagingpart）１１１の外壁は、内側に向き凹んで、複数の上溝（multiple upper grooves）１１１１を形成し、前記接続部材（connecting piece）４は、各々の上溝（upper grooves）１１１１の位置に対応して、それぞれ前記接続部材（connecting piece）４と密接している上フック（upper hook）４３を形成し、前記接続部材（connecting piece）４は、各々の下溝（lower grooves）１２１１の位置に対応して、それぞれ前記接続部材（connecting piece）４と密接している下フック（lower hook）４４を形成する。それによって、前記上溝（multiple upper grooves）１１１１、下溝（lower grooves）１２１１、上フック（upper hook）４３、下フック（lower hook）４４とを通って、前記腔体（cavity）２内の圧力が大きすぎることによる、上殻体（upper housingbody）１１と前記下殻体（lower housing body）１２がそれぞれ前記接続部材（connecting piece）４からの離脱を回避でき、同時に、更に接続位置の密封性を保証することができる。
【００１９】
また、前記接続部材（connecting piece）４の内壁は、それぞれ、上下の二つの方向へ延伸し、それぞれ前記上殻体（upper housing body）１１及び前記下殻体（lower housingbody）１２の内壁と密接しているバッファー・プレート（buffer plates）を形成する。それによって、バッファー・プレート（buffer plates）５を通って、効果的に、高い圧力によって接口に対し起きた衝撃圧力を低減することができ、更に、殻体（housing body）１にある圧力が大きすぎることによる、上殻体（upperhousing body）と下殻体（lower housing body）のそれぞれ接続部材（connecting piece）４からの離脱を回避できる。
【００２０】
前記殻体（housing body）１は、一般的に、プラスチック、アルミニウムまたは木材で製造される。前記殻体（housing body）１は、フィルター３の平面の対称軸が、対称の構造を呈する。前記上殻体（upper housing body）１１の外部のアウトラインは、球体の一部分（一般的には半球状である）となり、前記下殻体（lower housing body）１２の外部のアウトラインは、球体の一部分（一般的には半球状である）となり、前記上腔体（upper cavity）は、球体の一部分（一般的には半球状である）となり、前記下腔体（lowercavity）は、球体の一部分（一般的には半球状である）となる。それによって、フィルター３は、球体の中心に置かれ、その平面の面積は、最大でとなり、その濾過の面積は、類似製品とより大きく、濾過速度を加速することができ、類似製品より早い時間で１杯の飲み物を完成する。しかも、半円形のデザインは、抽出している時、死角をなくし、類似製品とよりも優れ、すべでの対象物を抽出することができる。
【００２１】
上述したのは、本発明の好ましい実施例であって、本願発明は、上記実施の形態において説明したものに限定されるものではなく、発明の要旨を逸脱しない範囲において適宜設計変更可能なことは勿論である。 
【符号の説明】
【００２２】
１               殻体（housing body）
１１             上殻体（upper housing body）
１１１           上係合部（upper engaging part）
１１１１         上溝（multiple upper grooves）
１２             下殻体（lower housing body）
１２１           下係合部（lower engaging part）
１２１１         下溝（lower grooves）
２               腔体（cavity）
３               フィルター
４、             接続部材（connecting piece）
４１             上係合溝（upper engaging groove）
４２             下係合溝（lower engaging groove）
４３             上フック（upper hook）
４４             下フック（lower hook）
５ 、            バッファー・プレート（buffer plates）
【図１】
0005895097.tif 000002
【図２】
0005895097.tif 000003